(57)【要約】      （修正有）【課題】テレビ受像機と組み合わせデザイン的に不調和し、視聴時以外にはキャビネット内部に収納できる。【解決手段】キャビネット内側脇にはシャッター式前面扉８を開閉するための電動モーター６を取付け、横スライド式に前面扉８を稼働させる。モーター６の起動は、筐体前面に装備された赤外線リモコン受光部に向けて発せられたテレビ受像器２のリモコンによるテレビ受像器の電源の入り切りで変動する負荷電流を電流感知リレー５が検知して連動する。キャビネットは、上方から見ると角の丸い楕円状になっており、シャッター式の前面扉８は連結部を屈曲しながら角部を通過して、キャビネット後方７へと収納される。【選択図】図２
0003110391.tif 000002
【実用新案登録請求の範囲】
【請求項１】
テレビモニターを収納設置する家具調キャビネットにおいて、
テレビ視聴時以外はテレビ受像機がスライドシャッター式扉で覆われてキャビネット内部に格納され、視聴時にはテレビ電源に連動しモーターによって稼動する前面扉がシャッター式の各連結部を屈曲させつつキャビネット後方へ収納されてモニター視聴可能な状態に解放される機構を持つことを特徴とする電動開閉扉を有するテレビ用キャビネット。
【請求項２】
前面扉が襖状にレールに沿って左右にスライドしてテレビ受像機を格納・解放する機構を持つことを特徴とする請求項１に記載のテレビ用キャビネット。
【考案の詳細な説明】
【技術分野】
【０００１】
本考案は、電動式でモニター置載部分がシャッター式にスライド開閉するテレビ用キャビネットに関する。
【背景技術】
【０００２】
従来よりテレビ受像機を上面に置くためのキャビネット、あるいは開口した内部に設置できるキャビネットが存在している。
【特許文献１】実開平５−３７１５３
【考案の開示】
【考案が解決しようとする課題】
【０００３】
従来より存在するキャビネットは、重厚な木目を活かした家具調の製品であっても、工業製品であるテレビ受像機と組み合わせるとデザイン上の異質な外観を否めず、インテリア性において不釣り合いであった。また、高価なテレビ受像機を外的ショックや埃から保護する上で機器を露出しての設置には保護管理上の心配点があった。
【課題を解決するための手段】
【０００４】
本考案は、テレビ受像機を視聴時以外はシャッター式にスライド開閉する前面扉によってキャビネット内に収容して平時での家具インテリア性と機器の保護安全性を保持し、テレビ視聴時には電動モーターによりテレビ電源ONと同時にシャッター式の前面扉が後方または左右脇へスライド収納され、キャビネット内に格納されていたテレビを手間を掛けずに視聴できる状態となるよう手段を講じたものである。
【考案の効果】
【０００５】
この考案は前記のように構成されており、以下に記載のような効果を有する。
【０００６】
近年では、大型テレビ受像機も液晶方式やプラズマ方式となり、ブラウン管のモニターに比べて軽量化し、奥行きも小さく薄型化が進んでいる。しかしながら画面サイズの超大型化に伴って重量も増してきている現状がある。
【０００７】
テレビ受像機は過去の一時期において、木質調筐体のお座敷テレビのような製品も存在したが、近年では姿を消し、先進的なデザインが主流となっており和風あるいはクラシック調の室内家具とは不釣り合いで統一性を欠き、一部の利用者にとって不満を招いていた。
【０００８】
本考案製品は、薄型化した大型モニターを有するテレビ受像機をキャビネット内部に収容できる構造となっており、平時はシャッター式前面扉に覆われており、テレビ受像機は外部から視認できないので、木調家具たるキャビネットのインテリア性を損なうことなく室内に設置できる。また、外的ショックや埃からも保護でき、テレビ受像機械機器の保護上優れている。
【０００９】
一方、テレビを視聴したい時にはテレビ受像機の電源を入れることによって連動してキャビネット内に組み込まれた電動モーターが起動し、テレビ受像機を置載したキャビネットの前面扉がシャッター式にスライド稼動、後方あるいは左右脇へ収納されて、モニター画面が姿を現す機構となっている。
【００１０】
テレビ視聴が終わり電源を切ると電動モーターによって収納されていた前面扉が動作を開始し、テレビ受像機のモニター画面はシャッター式前面扉に覆い隠されて、再び外観上は木調家具のキャビネットだけとなり周囲の家具調度品と調和して異質を感じることがない。
【００１１】
また、薄型化した液晶またはプラズマモニターの画面は、傷つきやすく、画面上のチリ・ホコリも吸着しやすいので、視聴時以外は外部に露呈しない本考案のキャビネットであれば、テレビ受像機の安全保護上の利点も有している。
【００１２】
本考案の製品は、テレビ受像機の電源の入り切りに連動して前面扉が開閉し、キャビネット内からテレビ受像機が現れる機構であるので、テレビ受像機の前面扉を開閉する手間が不要で、リモコン操作で遠隔操作ができるので容易に操作することができる。
【考案を実施するための最良の形態】
【００１３】
テレビ受像機収納時は木調家具のキャビネットの外観であって、通常はシャッター式の木製前面扉が閉じており、視聴時にはテレビ電源に連動してシャッター式前面扉が横スライドして後方あるいは左右脇へ収納され、テレビ受像機が現れ視聴できる機構となっている。
【００１４】
なお、左右に開閉時の扉収納部を設ける大きさが許されるならば、前面扉を平板の襖状に左右へスライド開閉する機構とすれば、開閉動作が簡易となり、キャビネットの製作上も簡素な構造にて生産性が向上する。
【実施例１】
【００１５】
本考案に基づく機構の一例を示す図１は、本考案製品のテレビ視聴時の正面図であって前面扉８は開放されている。キャビネット筐体１は前面扉閉鎖時には図３に示すように木調家具でローキャビネット型のデザインを有する。
【００１６】
図１では、シャッター式の前面扉８は後方へ収納されており、キャビネット筐体内部にはモニター置載部３を有し、ここにテレビ受像機２を設置する。
【００１７】
図２は上面透視図であり、キャビネット内側脇にはシャッター式前面扉８を開閉するための電動モーター６を取付け、横スライド式に前面扉８を稼動させる。モーター６の起動は、筐体１前面に装備された赤外線リモコン受光部に向けて発せられたテレビ受像機２のリモコン４によるテレビ受像機の電源の入り切りで変動する負荷電流を電流感知リレー５が検知して連動する。
【００１８】
シャッター式の前面扉８の構成は、一枚あたり２０ｍｍ〜８０ｍｍ程度の大きさで連結された拍子木状の板材であって、またテレビリモコンの赤外線発光を受信するためにテレビ受光部付近にあたる板材の下部付近には赤外線が透過するようなアクリル板などを取り付けた窓９を設けてあり、この前面扉８はキャビネットの内側外周を横スライドしながら移動してテレビ受像機２の格納及び解放をおこなう。
【００１９】
キャビネットは上方から見ると角の丸い楕円状になっており、シャッター式の前面扉８は連結部を屈曲しながら角部を通過して、キャビネット後方７へと収納される。
【００２０】
襖状に左右へ開口する前面扉の場合には、テレビ受像機を解放するときには前面扉が横方向へ直線状にスライドして、扉はキャビネット前面の左右に収納される。
【００２１】
モニター置載部３は大型のテレビ受像機２を置くスペースであるが、近年では薄型化された液晶テレビ及びプラズマテレビが普及しており、図２に示すように奥行きをあまり要さない構造が可能である。
【００２２】
図３は、テレビ受像機２をキャビネット内部に収納し、シャッター式前面扉８を閉じた状態を示す。テレビ受像機２は完全にキャビネットの中に収まり、外観上は木製キャビネットだけとなる。
【産業上の利用可能性】
【００２３】
大画面テレビ受像機も近年ますます薄型化しており、受像機の収納部を有するキャビネット自体の筐体サイズは比較的小型薄型に設計可能であり、室内家具として違和感のないサイズとデザインを有するローキャビネットを製作できる。
【００２４】
また、モニター置載部にはテレビ受像機のみならず、オーディオ機器、プロジェクター等の投影機器なども置載・収納でき、置載部分の稼動が必要ないために比較的重量のある機器であっても安全に格納及び解放ができるので、高級機材の格納保護においても利点がある。
【００２５】
木調家具の筐体デザインの他、設置場所によっては、プラスチック系あるいは金属系等の材質にて斬新なデザインで筐体を製作すれば、店舗用ディスプレイやカラオケボックスでのモニター画面用として、大型機器にも対応が可能であり、本考案製品は貸し室内のモニター設備配置用など不特定多数利用者向け設備として、高い安全性と機器保護性を持つインテリアとして提供できるものである。
【図面の簡単な説明】
【００２６】
【図１】本考案製品のテレビ視聴時の開放状態正面図
【図２】本考案製品のテレビ収納時の上面透視図
【図３】本考案製品の格納時の正面外観図
【図４】本考案製品の平板式前面扉タイプ正面外観図
【符号の説明】
【００２７】
１…木調キャビネット筐体
２…テレビ受像機
３…モニター置載部
４…起動リモコン
５…電流検知リレー
６…開閉用電動モーター
７…後方収納部
８…シャッター式前面扉
９…リモコン信号透過用窓
１０…平板式前面扉
【図１】
0003110391.tif 000003
【図２】
0003110391.tif 000004
【図３】
0003110391.tif 000005
【図４】
0003110391.tif 000006